【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
ネットワークに接続された複数の利用者端末間でマルチメディア情報を使用した対話型の情報通信サービスを提供するマルチメディア情報通信サービスシステムにおいて、
前記利用者端末間でテレビ映像および音声による双方向の対話機能を提供する双方向通信手段と、前記利用者端末に配信するマルチメディアのコンテンツを保管するコンテンツ管理手段と、前記コンテンツ管理手段に保管されたコンテンツを前記利用者端末に配信するコンテンツ配信手段とを備え、双方向通信手段により利用者端末間でテレビ映像および音声による対話を行いながら同時にコンテンツ配信手段により利用者端末に対してコンテンツを配信できるようにしたマルチメディア情報通信サービスシステムであって、
前記双方向通信手段は、特定の利用者端末に議長権を与える議長権フラグをセットする機能と、前記議長権フラグにより指定された利用者端末からテレビ映像および音声の合成方法を指定する合成方法指定情報を受信する機能と、前記各利用者端末から送信されたテレビ映像及び音声を受信する機能と、前記各利用者端末から受信されたテレビ映像および音声を前記受信された合成方法指定情報に基づいて合成する機能と、前記合成されたテレビ映像および音声を各利用者端末に配信する機能とを有することを特徴とする、マルチメディア情報通信サービスシステム。
【請求項２】
ネットワークに接続された複数の利用者端末間でマルチメディア情報を使用した対話型の情報通信サービスを提供するマルチメディア情報通信サービスシステムにおいて、
前記利用者端末間でテレビ映像および音声による双方向の対話機能を提供する双方向通信手段と、前記利用者端末に配信するマルチメディアのコンテンツを保管するコンテンツ管理手段と、前記コンテンツ管理手段に保管されたコンテンツを前記利用者端末に配信するコンテンツ配信手段とを備え、双方向通信手段により利用者端末間でテレビ映像および音声による対話を行いながら同時にコンテンツ配信手段により利用者端末に対してコンテンツを配信できるようにしたマルチメディア情報通信サービスシステムであって、
前記双方向通信手段は、特定の利用者端末に議長権を与える議長権フラグをセットする機能と、前記議長権フラグにより指定された利用者端末からテレビ映像および音声の制御情報を受信する機能と、前記各利用者端末から送信されたテレビ映像及び音声を受信する機能と、前記受信されたテレビ映像および音声を前記受信された制御情報とともに送信元以外の各利用者端末に配信する機能とを有し、各利用者端末において、前記配信されたテレビ映像および音声を前記配信された制御情報に基づいて組合せて表示できるようにしたことを特徴とする、マルチメディア情報通信サービスシステム。
【請求項３】
ネットワークに接続された複数の利用者端末間でマルチメディア情報を使用した対話型の情報通信サービスを提供するマルチメディア情報通信サービスシステムにおいて、
前記利用者端末間でテレビ映像および音声による双方向の対話機能を提供する双方向通信手段と、前記利用者端末に配信するマルチメディアのコンテンツを保管するコンテンツ管理手段と、前記コンテンツ管理手段に保管されたコンテンツを前記利用者端末に配信するコンテンツ配信手段とを備え、双方向通信手段により利用者端末間でテレビ映像および音声による対話を行いながら同時にコンテンツ配信手段により利用者端末に対してコンテンツを配信できるようにしたマルチメディア情報通信サービスシステムであって、
前記コンテンツ配信手段は、特定の利用者端末に議長権を与える議長権フラグをセットする機能と、前記議長権フラグにより指定された利用者端末からコンテンツの再生を制御する再生制御信号を受信する機能と、前記受信された再生制御信号に基づいてコンテンツを再生して配信する機能とを有し、サービスの進行状況に応じてコンテンツの再生をコントロールできるようにしたことを特徴とする、マルチメディア情報通信サービスシステム。
【請求項４】
ネットワークに接続された複数の利用者端末間でマルチメディア情報を使用した対話型の情報通信サービスを提供するマルチメディア情報通信サービスシステムにおいて、
前記利用者端末間でテレビ映像および音声による双方向の対話機能を提供する双方向通信手段と、前記利用者端末に配信するマルチメディアのコンテンツを保管するコンテンツ管理手段と、前記コンテンツ管理手段に保管されたコンテンツを前記利用者端末に配信するコンテンツ配信手段とを備え、双方向通信手段により利用者端末間でテレビ映像および音声による対話を行いながら同時にコンテンツ配信手段により利用者端末に対してコンテンツを配信できるようにしたマルチメディア情報通信サービスシステムであって、
前記コンテンツ配信手段は、外部のテレビ映像よび音声を接続する機能と、前記接続されたテレビ映像および音声をコンテンツとして配信する機能とを有し、外部のテレビ映像および音声をライブ中継できるようにしたことを特徴とする、マルチメディア情報通信サービスシステム。
【請求項５】
ネットワークに接続された複数の利用者端末間でマルチメディア情報を使用した対話型の情報通信サービスを提供するマルチメディア情報通信サービスシステムにおいて、
前記利用者端末間でテレビ映像および音声による双方向の対話機能を提供する双方向通信手段と、前記利用者端末に配信するマルチメディアのコンテンツを保管するコンテンツ管理手段と、前記コンテンツ管理手段に保管されたコンテンツを前記利用者端末に配信するコンテンツ配信手段とを備え、双方向通信手段により利用者端末間でテレビ映像および音声による対話を行いながら同時にコンテンツ配信手段により利用者端末に対してコンテンツを配信できるようにしたマルチメディア情報通信サービスシステムであって、
前記双方向通信手段の利用状況と前記利用者端末の接続状況を管理するリソース管理手段を更に備え、サービスの提供可否を判断できるようにしたことを特徴とする、マルチメディア情報通信サービスシステム。
【請求項６】
ネットワークに接続された複数の利用者端末間でマルチメディア情報を使用した対話型の情報通信サービスを提供するマルチメディア情報通信サービスシステムにおいて、
前記利用者端末間でテレビ映像および音声による双方向の対話機能を提供する双方向通信手段と、前記利用者端末に配信するマルチメディアのコンテンツを保管するコンテンツ管理手段と、前記コンテンツ管理手段に保管されたコンテンツを前記利用者端末に配信するコンテンツ配信手段とを備え、双方向通信手段により利用者端末間でテレビ映像および音声による対話を行いながら同時にコンテンツ配信手段により利用者端末に対してコンテンツを配信できるようにしたマルチメディア情報通信サービスシステムであって、
利用者に対してサービスの利用料金を計算する課金手段を更に備え、前記課金手段は前記利用者以外の特定の利用者が使用する利用者端末の接続時間を集計して課金する機能を有し、サービスを提供する人が実際にサービスした時間に対応した料金を徴収できるようにしたことを特徴とする、マルチメディア情報通信サービスシステム。
【請求項７】
ネットワークに接続された複数の利用者端末間でマルチメディア情報を使用した対話型の情報通信サービスを提供するマルチメディア情報通信サービスシステムにおいて、
前記利用者端末間でテレビ映像および音声による双方向の対話機能を提供する双方向通信手段と、前記利用者端末に配信するマルチメディアのコンテンツを保管するコンテンツ管理手段と、前記コンテンツ管理手段に保管されたコンテンツを前記利用者端末に配信するコンテンツ配信手段とを備え、双方向通信手段により利用者端末間でテレビ映像および音声による対話を行いながら同時にコンテンツ配信手段により利用者端末に対してコンテンツを配信できるようにしたマルチメディア情報通信サービスシステムであって、
利用者に対してサービスの利用料金を計算する課金手段を更に備え、前記課金手段は前記コンテンツ配信手段の提供するコンテンツについて定めた料金情報を取得して課金する機能を有し、サービスの過程で提供したコンテンツの利用料金を徴収できるようにしたことを特徴とする、マルチメディア情報通信サービスシステム。
【請求項８】
ネットワークに接続された複数の利用者端末間でマルチメディア情報を使用した対話型の情報通信サービスを提供するマルチメディア情報通信サービスシステムにおいて、
前記利用者端末間でテレビ映像および音声による双方向の対話機能を提供する双方向通信手段と、前記利用者端末に配信するマルチメディアのコンテンツを保管するコンテンツ管理手段と、前記コンテンツ管理手段に保管されたコンテンツを前記利用者端末に配信するコンテンツ配信手段とを備え、双方向通信手段により利用者端末間でテレビ映像および音声による対話を行いながら同時にコンテンツ配信手段により利用者端末に対してコンテンツを配信できるようにしたマルチメディア情報通信サービスシステムであって、
利用者に対してサービスの利用料金を課金する課金手段を更に備え、前記課金手段は前記利用者の使用した利用者端末の接続時間を集計して課金する機能と、前記利用者以外が使用した特定の利用者端末の接続時間を集計して課金する機能と、前記コンテンツ配信手段が提供するコンテンツについて定められた料金情報を取得して課金する機能とを有し、提供するサービス内容に応じて、これらを組合わせた課金が行えるようにしたことを特徴とする、マルチメディア情報通信サービスシステム。
【請求項９】
前記双方向通信手段は、前記受信された音声の強度が所定のレベルを超えた利用者端末を検出する機能と、前記検出された利用者端末のテレビ映像を強調して合成する機能とを有することを特徴とする、請求項１に記載のマルチメディア情報通信サービスシステム。
【請求項１０】
前記課金手段は、前記利用者の使用した利用者端末の接続時間を集計して課金する機能を含むことを特徴とする、請求項６または請求項７に記載のマルチメディア情報通信サービスシステム。
【請求項１１】
前記コンテンツ管理手段は、配信するコンテンツの素材となる素材コンテンツを記憶する素材コンテンツ記憶手段と、前記素材コンテンツの組合せを時間軸に沿って定義したシナリオを記憶するシナリオ記憶手段とを備え、前記コンテンツ配信手段は、前記シナリオ記憶手段に記憶されたシナリオに基づいて前記素材コンテンツ記憶手段に記憶された素材コンテンツを取り出して配信する手段を備え、双方向通信手段により利用者端末間でテレビ映像および音声による対話を行いながら同時にコンテンツ配信手段により利用者端末に対して複数の素材コンテンツを組合せた高度なプレゼンテーションを行えるようにしたことを特徴とする、請求項１ないし請求項１０のいずれかに記載のマルチメディア情報通信サービスシステム。
【請求項１２】
前記双方向通信手段は、前記利用者端末で実行されるアプリケーションを共有するデータ会議機能を有することを特徴とする、請求項１ないし請求項１１のいずれかに記載のマルチメディア情報通信サービスシステム。
【請求項１３】
前記双方向通信手段は、前記利用者端末間でテキスト入力による双方向通信を行うチャット機能を有することを特徴とする、請求項１ないし請求項１２のいずれかに記載のマルチメディア情報通信サービスシステム。
【請求項１４】
前記双方向通信手段は、前記ネットワークの帯域制限情報を取得する機能と、前記取得された帯域制限情報に基づいて配信する情報の品質を変更する機能とを有し、ネットワークの通信帯域が制限されても通信帯域に対応した品質の対話機能を維持できるようにしたことを特徴とする、請求項１ないし請求項１３のいずれかに記載のマルチメディア情報通信サービスシステム。
【請求項１５】
前記コンテンツ配信手段は、前記ネットワークの帯域制限情報を取得する機能と、前記取得された帯域制限情報に基づいて配信する情報の品質を変更する機能とを有し、ネットワークの通信帯域が制限されても通信帯域に対応した品質のコンテンツ配信機能を維持できるようにしたことを特徴とする、請求項１ないし請求項１４のいずれかに記載のマルチメディア情報通信サービスシステム。
【請求項１６】
請求項１ないし請求項１５のいずれかに記載のマルチメディア情報通信サービスシステムの利用者端末に使用するプログラムであって、
前記利用者端末のテレビ映像および音声を取得する手段と、前記取得されたテレビ映像および音声を前記双方向通信手段に送信する手段と、前記双方向通信手段からのテレビ映像および音声を受信する手段と、前記コンテンツ配信手段からのコンテンツを受信する手段と、所定のウィンドウを生成して前記受信されたテレビ映像および音声と前記受信されたコンテンツを出力する手段とを含み、利用者端末間でテレビ映像および音声による対話を行いながら同時に配信されるコンテンツを視聴できるようにしたことを特徴とするマルチメディア情報通信サービスシステムの利用者端末に使用するプログラム。
【請求項１７】
請求項１６に記載のマルチメディア情報通信サービスシステムの利用者端末に使用するプログラムを記録した、コンピュータ読取可能な記録媒体。